(57)【要約】【課題】利便性の良い画像形成装置、画像形成システム、画像形成装置の制御プログラム、および画像形成システムの制御プログラムを提供する。【解決手段】画像形成システムは、ＭＦＰ１００と、タッチパネル３０５を含む携帯端末３００とを備えている。ＭＦＰ１００は、ＭＦＰ１００が実行するジョブに関する設定を受け付け、その設定を受け付けた場合に第１の操作を受け付ける。ＭＦＰ１００は、第１の操作を受け付けた場合に、携帯端末３００のタッチパネル３０５で表示する画面の情報と、受け付けた設定の内容とを携帯端末３００へ送信する。携帯端末３００は、受信した情報に基づく画面をタッチパネル３０５に表示し、設定の内容の変更を受け付ける。携帯端末３００は、受け付けた変更後の内容をＭＦＰ１００へ送信する。ＭＦＰ１００は、受信した変更後の内容を、ＭＦＰ１００が実行するジョブに関する設定に反映させる。【選択図】図１
2013157848.tif 000002
【特許請求の範囲】
【請求項１】
画像形成装置が実行するジョブに関する設定を受け付ける設定受付手段と、
前記設定受付手段にて設定を受け付けた場合に、第１の操作を受け付ける操作受付手段と、
前記操作受付手段にて前記第１の操作を受け付けた場合に、端末装置の表示部で表示する画面の情報と、前記設定受付手段にて受け付けた設定の内容とを前記端末装置へ送信する送信手段と、
前記送信手段にて送信した設定の内容の変更後の内容を前記端末装置から受信する受信手段と、
前記受信手段にて受信した変更後の内容を前記画像形成装置が実行するジョブに関する設定に反映させる反映手段とを備えた、画像形成装置。
【請求項２】
前記送信手段の送信先である端末装置を記憶する記憶手段と、
前記受信手段にて変更後の内容を受信した場合に、前記受信手段の送信元である端末装置と、前記記憶手段にて記憶した端末装置とが同一か否かを判別する同一判別手段とをさらに備え、
前記同一判別手段にて同一であると判別した場合に、前記反映手段は前記受信手段にて受信した変更後の内容を反映させる、請求項１に記載の画像形成装置。
【請求項３】
前記画像形成装置が実行するジョブに関する設定を、前記画像形成装置で行うことを許可するログイン処理を行うログイン処理手段と、
前記操作受付手段にて前記第１の操作を受け付けた場合に、前記画像形成装置が実行するジョブに関する設定を、前記画像形成装置で行うことを不許可にするログアウト処理を行うログアウト処理手段とをさらに備えた、請求項１または２に記載の画像形成装置。
【請求項４】
前記ログアウト処理手段にてログアウト処理を行った場合に、前記画像形成装置が実行するジョブに関する設定を、前記画像形成装置で行うことを許可する再ログイン処理を行う再ログイン処理手段をさらに備え、
前記再ログイン処理手段にて再ログイン処理を行った場合に、前記反映手段は前記受信手段にて受信した変更後の内容を反映させる、請求項３に記載の画像形成装置。
【請求項５】
前記第１の操作は、前記画像形成装置の表示部で受け付けたフリック操作である、請求項１〜４のいずれかに記載の画像形成装置。
【請求項６】
前記操作受付手段が前記フリック操作を受け付けた位置と、前記操作受付手段が前記フリック操作を受け付けた時の前記画像形成装置の表示部の画面の情報とに基づいて、前記端末装置の表示部で表示する画面を決定する画面決定手段をさらに備え、
前記送信手段は、前記画面決定手段にて決定した画面の情報を送信する、請求項５に記載の画像形成装置。
【請求項７】
前記画像形成装置の表示部の画面において、前記第１の操作が前記画像形成装置の表示部の画面を移動する操作に該当する場合、前記送信手段は前記端末装置へ送信しない、請求項１〜６のいずれかに記載の画像形成装置。
【請求項８】
前記操作受付手段にて前記第１の操作を受け付けた場合に、前記画像形成装置の表示部に初期画面を表示する初期画面表示手段をさらに備えた、請求項１〜７のいずれかに記載の画像形成装置。
【請求項９】
前記端末装置が前記画像形成装置から所定の範囲内にあるか否かを判別する範囲内判別手段をさらに備え、
前記範囲内判別手段にて所定の範囲外にあると判別した場合に、前記送信手段は前記端末装置へ送信しない、請求項１〜８のいずれかに記載の画像形成装置。
【請求項１０】
前記操作受付手段にて前記第１の操作を受け付けた場合に、前記送信手段にて送信した情報の画面と、前記画像形成装置の初期画面とを互いに重ねた状態で前記画像形成装置の表示部に表示する複数画面表示手段をさらに備えた、請求項１〜９のいずれかに記載の画像形成装置。
【請求項１１】
画像形成装置と、表示部を含む端末装置とを備えた画像形成システムであって、
前記画像形成装置が実行するジョブに関する設定を前記画像形成装置で受け付ける設定受付手段と、
前記設定受付手段にて設定を受け付けた場合に、第１の操作を前記画像形成装置で受け付ける第１の操作受付手段と、
前記第１の操作受付手段にて前記第１の操作を受け付けた場合に、前記端末装置の表示部で表示する画面の情報と、前記第１の設定受付手段にて受け付けた設定の内容とを前記画像形成装置から前記端末装置へ送信する第１の送信手段と、
前記第１の送信手段にて送信した情報に基づく画面を前記端末装置の表示部に表示する表示手段と、
前記第１の送信手段にて送信した設定の内容の変更を前記端末装置で受け付ける設定変更受付手段と、
前記設定変更受付手段にて受け付けた変更後の内容を前記端末装置から前記画像形成装置へ送信する第２の送信手段と、
前記第２の送信手段にて送信した変更後の内容を前記画像形成装置が実行するジョブに関する設定に反映させる反映手段とを備えた、画像形成システム。
【請求項１２】
前記第１の操作は前記画像形成装置の表示部で行われたフリック操作であり、前記表示手段は、フリック操作の起点の位置に存在するキーを押下した場合に前記画像形成装置の表示部に表示される画面と同一の画面を前記端末装置の表示部に表示する、請求項１１に記載の画像形成システム。
【請求項１３】
前記表示手段にて画面を表示した場合に、第２の操作を前記端末装置で受け付ける第２の操作受付手段をさらに備え、
前記第２の操作受付手段にて前記第２の操作を受け付けた場合に、前記第２の送信手段は変更後の内容を送信する、請求項１１または１２に記載の画像形成システム。
【請求項１４】
前記表示手段にて画面を表示した場合に、前記端末装置の画面の更新を伴う第３の操作を前記端末装置で受け付ける第３の操作受付手段と、
前記第３の操作の情報を前記端末装置から前記画像形成装置へ送信する第３の送信手段と、
前記第３の送信手段にて送信した情報に基づいて、更新後の画面の情報を前記画像形成装置から前記端末装置へ送信する第４の送信手段とをさらに備えた、請求項１１〜１３のいずれかに記載の画像形成システム。
【請求項１５】
画像形成装置が実行するジョブに関する設定を受け付ける設定受付ステップと、
前記設定受付ステップにて設定を受け付けた場合に、第１の操作を受け付ける操作受付ステップと、
前記操作受付ステップにて前記第１の操作を受け付けた場合に、端末装置の表示部で表示する画面の情報と、前記設定受付ステップにて受け付けた設定の内容とを前記端末装置へ送信する送信ステップと、
前記送信ステップにて送信した設定の内容の変更後の内容を前記端末装置から受信する受信ステップと、
前記受信ステップにて受信した変更後の内容を前記画像形成装置が実行するジョブに関する設定に反映させる反映ステップとをコンピューターに実行させる、画像形成装置の制御プログラム。
【請求項１６】
画像形成装置と、表示部を含む端末装置とを備えた画像形成システムの制御プログラムであって、
前記画像形成装置が実行するジョブに関する設定を前記画像形成装置で受け付ける設定受付ステップと、
前記設定受付ステップにて設定を受け付けた場合に、第１の操作を前記画像形成装置で受け付ける第１の操作受付ステップと、
前記第１の操作受付ステップにて前記第１の操作を受け付けた場合に、前記端末装置の表示部で表示する画面の情報と、前記第１の設定受付ステップにて受け付けた設定の内容とを前記画像形成装置から前記端末装置へ送信する第１の送信ステップと、
前記第１の送信ステップにて送信した情報に基づく画面を前記端末装置の表示部に表示する表示ステップと、
前記送信ステップにて送信した設定の内容の変更を前記端末装置で受け付ける設定変更受付ステップと、
前記設定変更受付ステップにて受け付けた変更後の内容を前記端末装置から前記画像形成装置へ送信する第２の送信ステップと、
前記第２の送信ステップにて送信した変更後の内容を前記画像形成装置が実行するジョブに関する設定に反映させる反映ステップとをコンピューターに実行させる、画像形成システムの制御プログラム。
【発明の詳細な説明】
【技術分野】
【０００１】
本発明は画像形成装置、画像形成システム、画像形成装置の制御プログラム、および画像形成システムの制御プログラムに関し、より特定的には、利便性の良い画像形成装置、画像形成システム、画像形成装置の制御プログラム、および画像形成システムの制御プログラムに関する。
【背景技術】
【０００２】
ｉＰａｄ（登録商標）、電子書籍、またはｉＰｈｏｎｅ（登録商標）などに代表される、タッチパネルを使用したユーザーインターフェースを持つ端末装置（携帯端末）が、近年普及している。これらの端末装置はスマートフォンと呼ばれている。ＭＦＰ（Ｍｕｌｔｉｆｕｎｃｔｉｏｎ  Ｐｅｒｉｐｈｅｒａｌ）を始めとする画像形成装置でも、端末装置との連携が要求されている。
【０００３】
上記の要求に応えるべく、画像形成装置ではリモートパネル機能が提案されている。リモートパネル機能とは、ネットワークなどを介して画像形成装置と接続された端末装置で画像形成装置の操作を受け付け、その操作の情報を端末装置から画像形成装置へ送り、画像形成装置においてその操作の情報に基づく処理を行い、その処理に伴う更新画面の情報を端末装置へ送信する機能である。リモートパネル機能によれば、画像形成装置の操作パネルを端末装置から操作することができる。携帯端末とＭＦＰとを近距離無線通信で接続し、携帯端末から送信したデータをＭＦＰで印刷する技術は、既に製品化されている。
【０００４】
ＭＦＰと端末装置との連携に関する技術は、たとえば下記特許文献１〜３に記載されている。下記特許文献１には、携帯情報端末からの要求に応じてＭＦＰが遠隔操作用の画面情報を送信し、携帯情報端末から指示を受信すると、ＭＦＰがその指示に従って処理を実行する画像形成システムが開示されている。この画像形成システムにおいて、携帯情報端末は、画面情報を受信画面情報に含まれる操作画面の画像を、予め設定されている設定値に従って変換して表示する。携帯情報端末は、変換された操作に従って入力される指示を受け付け、その指示をＭＦＰに送信する。
【０００５】
下記特許文献２には、情報処理装置が画像処理装置と第２通信部による通信を行うための通信設定情報を第１通信部により取得し、取得した通信設定情報に従って第２通信部による通信を確立する画像処理システムが開示されている。この画像処理システムでは、通信の確立を検出した場合に、情報処理装置は、画像処理サービスを実行するための操作画面表示要求を画像処理装置に送信する。画像処理装置は、受信した操作画面表示要求に従って、画像処理サービスを実行するための操作画面を表示し、その操作画面を介して設定された設定に基づいて、入力された画像データの画像処理を実行する。
【０００６】
下記特許文献３には、非接触ＩＣモジュールを内蔵した携帯端末が予め記憶している画像形成設定情報を、画像形成装置の利用時に携帯端末から画像形成装置へ転送して、自動的に設定させる技術が開示されている。
【０００７】
さらに、ＭＦＰがあるユーザーによって使用されている状態で、別のユーザーによる割り込みキーの押下などの割込み操作をＭＦＰが受け付けた場合に、ＭＦＰを使用しているユーザーによる設定を中断して、割り込み操作を行った別のユーザーのジョブである簡単なコピージョブなどを行う割り込み機能が従来知られている。この機能では、割り込み解除操作をＭＦＰが受け付けた場合に、ＭＦＰは、割り込み操作を受け付ける前にＭＦＰを使用していたユーザーによる設定を受け付ける状態に戻る。
【先行技術文献】
【特許文献】
【０００８】
【特許文献１】特開２００８−２１９３５１号公報
【特許文献２】特開２００８−１９３２６５号公報
【特許文献３】特開２００７−２７４２６８号公報
【発明の概要】
【発明が解決しようとする課題】
【０００９】
画像形成装置で設定可能な機能は増加している。たとえば、ＭＦＰのコピージョブにおいては、画像の読み込みの条件や、プリントの条件などとして多くの項目が設定可能である。その結果、ＭＦＰが実行するジョブにおいて複雑な条件を設定する場合には、その条件の設定に時間を要する。
【００１０】
この場合、ＭＦＰを次に使用するユーザーは、待ち時間を低減すべく、上述の割り込み機能を利用することができる。しかし、ＭＦＰを次に使用するユーザーが割り込み機能を利用した場合、複雑な条件を設定しているユーザーは、割り込み機能を利用したユーザーが実行したジョブが終了するまで、条件の設定を再開することができず、利便性が悪いという問題があった。
【００１１】
本発明は、上記課題を解決するためのものであり、その目的は、利便性の良い画像形成装置、画像形成システム、画像形成装置の制御プログラム、および画像形成システムの制御プログラムを提供することである。
【課題を解決するための手段】
【００１２】
本発明の一の局面に従う画像形成装置は、画像形成装置が実行するジョブに関する設定を受け付ける設定受付手段と、設定受付手段にて設定を受け付けた場合に、第１の操作を受け付ける操作受付手段と、操作受付手段にて第１の操作を受け付けた場合に、端末装置の表示部で表示する画面の情報と、設定受付手段にて受け付けた設定の内容とを端末装置へ送信する送信手段と、送信手段にて送信した設定の内容の変更後の内容を端末装置から受信する受信手段と、受信手段にて受信した変更後の内容を画像形成装置が実行するジョブに関する設定に反映させる反映手段とを備える。
【００１３】
上記画像形成装置において好ましくは、送信手段の送信先である端末装置を記憶する記憶手段と、受信手段にて変更後の内容を受信した場合に、受信手段の送信元である端末装置と、記憶手段にて記憶した端末装置とが同一か否かを判別する同一判別手段とをさらに備え、同一判別手段にて同一であると判別した場合に、反映手段は受信手段にて受信した変更後の内容を反映させる。
【００１４】
上記画像形成装置において好ましくは、画像形成装置が実行するジョブに関する設定を、画像形成装置で行うことを許可するログイン処理を行うログイン処理手段と、操作受付手段にて第１の操作を受け付けた場合に、画像形成装置が実行するジョブに関する設定を、画像形成装置で行うことを不許可にするログアウト処理を行うログアウト処理手段とをさらに備える。
【００１５】
上記画像形成装置において好ましくは、ログアウト処理手段にてログアウト処理を行った場合に、画像形成装置が実行するジョブに関する設定を、画像形成装置で行うことを許可する再ログイン処理を行う再ログイン処理手段をさらに備え、再ログイン処理手段にて再ログイン処理を行った場合に、反映手段は受信手段にて受信した変更後の内容を反映させる。
【００１６】
上記画像形成装置において好ましくは、第１の操作は、画像形成装置の表示部で受け付けたフリック操作である。
【００１７】
上記画像形成装置において好ましくは、操作受付手段がフリック操作を受け付けた位置と、操作受付手段がフリック操作を受け付けた時の画像形成装置の表示部の画面の情報とに基づいて、端末装置の表示部で表示する画面を決定する画面決定手段をさらに備え、送信手段は、画面決定手段にて決定した画面の情報を送信する。
【００１８】
上記画像形成装置において好ましくは、画像形成装置の表示部の画面において、第１の操作が画像形成装置の表示部の画面を移動する操作に該当する場合、送信手段は端末装置へ送信しない。
【００１９】
上記画像形成装置において好ましくは、操作受付手段にて第１の操作を受け付けた場合に、画像形成装置の表示部に初期画面を表示する初期画面表示手段をさらに備える。
【００２０】
上記画像形成装置において好ましくは、端末装置が画像形成装置から所定の範囲内にあるか否かを判別する範囲内判別手段をさらに備え、範囲内判別手段にて所定の範囲外にあると判別した場合に、送信手段は端末装置へ送信しない。
【００２１】
上記画像形成装置において好ましくは、操作受付手段にて第１の操作を受け付けた場合に、送信手段にて送信した情報の画面と、画像形成装置の初期画面とを互いに重ねた状態で画像形成装置の表示部に表示する複数画面表示手段をさらに備える。
【００２２】
本発明の他の局面に従う画像形成システムは、画像形成装置と、表示部を含む端末装置とを備えた画像形成システムであって、画像形成装置が実行するジョブに関する設定を画像形成装置で受け付ける設定受付手段と、設定受付手段にて設定を受け付けた場合に、第１の操作を画像形成装置で受け付ける第１の操作受付手段と、第１の操作受付手段にて第１の操作を受け付けた場合に、端末装置の表示部で表示する画面の情報と、第１の設定受付手段にて受け付けた設定の内容とを画像形成装置から端末装置へ送信する第１の送信手段と、第１の送信手段にて送信した情報に基づく画面を端末装置の表示部に表示する表示手段と、第１の送信手段にて送信した設定の内容の変更を端末装置で受け付ける設定変更受付手段と、設定変更受付手段にて受け付けた変更後の内容を端末装置から画像形成装置へ送信する第２の送信手段と、第２の送信手段にて送信した変更後の内容を画像形成装置が実行するジョブに関する設定に反映させる反映手段とを備える。
【００２３】
上記画像形成システムにおいて好ましくは、第１の操作は画像形成装置の表示部で行われたフリック操作であり、表示手段は、フリック操作の起点の位置に存在するキーを押下した場合に画像形成装置の表示部に表示される画面と同一の画面を端末装置の表示部に表示する。
【００２４】
上記画像形成システムにおいて好ましくは、表示手段にて画面を表示した場合に、第２の操作を端末装置で受け付ける第２の操作受付手段をさらに備え、第２の操作受付手段にて第２の操作を受け付けた場合に、第２の送信手段は変更後の内容を送信する。
【００２５】
上記画像形成システムにおいて好ましくは、表示手段にて画面を表示した場合に、端末装置の画面の更新を伴う第３の操作を端末装置で受け付ける第３の操作受付手段と、第３の操作の情報を端末装置から画像形成装置へ送信する第３の送信手段と、第３の送信手段にて送信した情報に基づいて、更新後の画面の情報を画像形成装置から端末装置へ送信する第４の送信手段とをさらに備える。
【００２６】
本発明のさらに他の局面に従う画像形成装置の制御プログラムは、画像形成装置が実行するジョブに関する設定を受け付ける設定受付ステップと、設定受付ステップにて設定を受け付けた場合に、第１の操作を受け付ける操作受付ステップと、操作受付ステップにて第１の操作を受け付けた場合に、端末装置の表示部で表示する画面の情報と、設定受付ステップにて受け付けた設定の内容とを端末装置へ送信する送信ステップと、送信ステップにて送信した設定の内容の変更後の内容を端末装置から受信する受信ステップと、受信ステップにて受信した変更後の内容を画像形成装置が実行するジョブに関する設定に反映させる反映ステップとをコンピューターに実行させる。
【００２７】
本発明のさらに他の局面に従う画像形成システムの制御プログラムは、画像形成装置と、表示部を含む端末装置とを備えた画像形成システムの制御プログラムであって、画像形成装置が実行するジョブに関する設定を画像形成装置で受け付ける設定受付ステップと、設定受付ステップにて設定を受け付けた場合に、第１の操作を画像形成装置で受け付ける第１の操作受付ステップと、第１の操作受付ステップにて第１の操作を受け付けた場合に、端末装置の表示部で表示する画面の情報と、第１の設定受付ステップにて受け付けた設定の内容とを画像形成装置から端末装置へ送信する第１の送信ステップと、第１の送信ステップにて送信した情報に基づく画面を端末装置の表示部に表示する表示ステップと、送信ステップにて送信した設定の内容の変更を端末装置で受け付ける設定変更受付ステップと、設定変更受付ステップにて受け付けた変更後の内容を端末装置から画像形成装置へ送信する第２の送信ステップと、第２の送信ステップにて送信した変更後の内容を画像形成装置が実行するジョブに関する設定に反映させる反映ステップとをコンピューターに実行させる。
【発明の効果】
【００２８】
本発明によれば、利便性の良い画像形成装置、画像形成システム、画像形成装置の制御プログラム、および画像形成システムの制御プログラムを提供することができる。
【図面の簡単な説明】
【００２９】
【図１】本発明の一実施の形態における画像形成システムの概念図である。
【図２】ＭＦＰ１００の内部構成を示すブロック図である。
【図３】携帯端末３００の内部構成を示すブロック図である。
【図４】操作パネル１０７で受け付けたジョブ条件の設定の内容を携帯端末３００へ送信する場合のＭＦＰ１００と携帯端末３００との連携動作の流れを模式的に示す図である。
【図５】操作パネル１０７で受け付けたジョブ条件の設定の内容を携帯端末３００へ送信する場合に、ＭＦＰ１００が実行する処理のフローチャートである。
【図６】携帯端末３００で受け付けたジョブ条件の設定の内容をＭＦＰ１００へ送信する場合のＭＦＰ１００と携帯端末３００との連携動作の流れを模式的に示す図である。
【図７】携帯端末３００で受け付けたジョブ条件の設定の内容をＭＦＰ１００へ送信する場合に、携帯端末３００が実行する処理のフローチャートである。
【図８】ジョブ条件の設定の内容を携帯端末３００から受信した場合に、ＭＦＰ１００が実行する処理のフローチャートである。
【図９】本発明の一の変形例における操作パネル１０７の表示画面の変化を模式的に示す図である。
【図１０】本発明の一の変形例において、操作パネル１０７で受け付けたジョブ条件の設定の内容を携帯端末３００へ送信する場合に、ＭＦＰ１００が実行する処理のフローチャートである。
【図１１】本発明の一の変形例において、携帯端末３００で受け付けたジョブ条件の設定の内容をＭＦＰ１００へ送信する場合に、携帯端末３００が実行する処理のフローチャートである。
【図１２】本発明の一の変形例において、ジョブ条件の設定の内容を携帯端末３００から受信した場合に、ＭＦＰ１００が実行する処理のフローチャートである。
【図１３】本発明の一の変形例において、タッチパネル３０５で操作を受け付けた位置に関する情報を携帯端末３００から受信した場合に、ＭＦＰ１００が実行する処理のフローチャートである。
【発明を実施するための形態】
【００３０】
以下、本発明の一実施の形態について、図面に基づいて説明する。
【００３１】
本実施の形態の画像形成システムは、画像形成装置と、表示部を含む端末装置とを備えている。画像形成装置は、スキャナー機能、ファクシミリ機能、複写機能、プリンタとしての機能、データ通信機能、およびサーバー機能を備えたＭＦＰや、ファクシミリ装置、複写機、またはプリンタなどであってもよい。端末装置は、各種情報を表示可能であり、かつ画像形成装置と通信可能な装置である。端末装置は、たとえばＰＣ（Ｐｅｒｓｏｎａｌ  Ｃｏｍｐｕｔｅｒ）や携帯端末などであってもよい。
【００３２】
［画像形成システムの構成］
始めに、画像形成システムの概略的な構成について説明する。
【００３３】
図１は、本発明の一実施の形態における画像形成システムの概念図である。
【００３４】
図１を参照して、本実施の形態における画像形成システムは、ＭＦＰ１００（画像形成装置の一例）と、携帯端末３００（端末装置の一例）とを備えている。ＭＦＰ１００は操作パネル（タッチパネル）１０７を含んでいる。携帯端末３００はタッチパネル３０５（表示部の一例）を含んでいる。ＭＦＰ１００と携帯端末３００とはネットワーク２５０を通じて互いに通信可能である。
【００３５】
ネットワーク２５０は、有線または無線のＬＡＮ（Ｌｏｃａｌ  Ａｒｅａ  Ｎｅｔｗｏｒｋ）である。ネットワーク２５０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて接続される。ネットワーク２５０に接続された機器は、お互いに各種データのやり取りが可能となっている。なお、ネットワーク２５０に代えて、インターネット・専用線などの広域ネットワークを用いて各装置を接続してもよい。
【００３６】
具体的には、ＭＦＰ１００は、たとえば有線ＬＡＮ２５１を通じて無線ＬＡＮアクセスポイント２００と接続されている。携帯端末３００は、たとえば無線ＬＡＮ２５２を通じて無線ＬＡＮアクセスポイント２００と接続されている。
【００３７】
ＭＦＰ１００は、操作パネル１０７およびタッチパネル３０５の各々からＭＦＰ１００の操作を受け付け可能である。ＭＦＰ１００の操作を受け付けた場合、ＭＦＰ１００は、受け付けた操作に基づいて処理を行う。
【００３８】
ＭＦＰ１００は、たとえば、走査した原稿画像や、携帯端末３００などから受信したプリントデータに基づいて生成した画像の複写画像を、用紙上に形成する。プリントデータとは、たとえば、携帯端末３００のオペレーティングシステムやアプリケーションプログラムが発行する描画命令を、プリンタドライバによってＭＦＰ１００が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００３９】
ＭＦＰ１００は、ネットワーク２５０を介して、携帯端末３００に原稿画像を送信することも可能である。さらにＭＦＰ１００は、携帯端末３００から受信した文書データを、ＭＦＰ１００内の記憶部１０４（図２）に蓄積することも可能である。
【００４０】
携帯端末３００は、ＭＦＰ１００との間で無線通信または有線通信（好ましくは無線通信）によりデータの送受信を行うことが可能である。
【００４１】
なお、画像形成システムは、ＭＦＰ１００および携帯端末３００以外の機器をさらに備えていてもよいし、ＭＦＰ１００と相互に通信が可能な複数の携帯端末３００を備えていてもよい。ＭＦＰ１００と携帯端末３００とは、Ｂｌｕｅｔｏｏｔｈ（登録商標）などの近距離無線通信を用いて相互に通信が可能であってもよい。
【００４２】
図２は、ＭＦＰ１００の内部構成を示すブロック図である。
【００４３】
図２を参照して、ＭＦＰ１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、記憶部１０４と、プリント処理部１０５と、画像処理部１０６と、操作パネル１０７と、スキャナー部１０８と、ネットワーク接続部１０９と、接近検知部１１０と、ユーザー認証部１１１などを含んでいる。ＣＰＵ１０１には、ＲＯＭ１０２、ＲＡＭ１０３、記憶部１０４、プリント処理部１０５、画像処理部１０６、操作パネル１０７、スキャナー部１０８、ネットワーク接続部１０９、接近検知部１１０、およびユーザー認証部１１１の各々がバスを介して接続されている。
【００４４】
ＣＰＵ１０１は、スキャンジョブ、コピージョブ、メール送信ジョブ、およびプリントジョブなどの各種ジョブについて、ＭＦＰ１００全体の制御を行う。またＣＰＵ１０１は、ＲＯＭ１０２に記憶された制御プログラムを実行する。ＣＰＵ１０１は、所定の処理を行うことにより、ＲＯＭ１０２、ＲＡＭ１０３からのデータの読み込みや、ＲＯＭ１０２、ＲＡＭ１０３へのデータの書き込みを行う。
【００４５】
ＲＯＭ１０２は、たとえばフラッシュＲＯＭ（Ｆｌａｓｈ  Ｍｅｍｏｒｙ）である。ＲＯＭ１０２には、ＭＦＰ１００の動作を行うための各種プログラムと、各種固定データとが格納されている。ＲＯＭ１０２は、書換え不可能なものであってもよい。
【００４６】
ＲＡＭ１０３は、ＣＰＵ１０１のメインメモリである。ＲＡＭ１０３は、ＣＰＵ１０１が制御プログラムを実行するときに必要なデータや画像データを一時的に記憶するためなどに用いられる。ＲＡＭ１０３は、ＭＦＰ１００が実行するジョブに関してユーザーから受け付けた設定を一時的に記憶する。
【００４７】
記憶部１０４は、たとえばＨＤＤ（Ｈａｒｄ  Ｄｉｓｋ  Ｄｒｉｖｅ）よりなっており、ＭＦＰ１００の設置情報、またはＭＦＰ１００の動作に関わる各種データなどを記憶する。記憶部１０４は、ネットワーク接続部１０９を介して携帯端末３００などから送られた印刷データなどのデータなどをボックスに記憶する。記憶部１０４は、操作パネル１０７および携帯端末３００のタッチパネル３０５（図３）の各々に表示する画面のデータを記憶する。
【００４８】
プリント処理部１０５は、画像処理部１０６にて処理された画像データに基づいて用紙などへのプリント処理を行う。
【００４９】
画像処理部１０６は、印刷データに対するＲＩＰ（Ｒａｓｔｅｒ  ｉｍａｇｅ  ｐｒｏｃｅｓｓｉｎｇ）処理や、データを外部へ送信する際にそのデータの形式を変換する変換処理などを行う。
【００５０】
操作パネル１０７は、タッチパネルディスプレイなどからなる表示部と、ハードウェアキーおよびタッチパネルディスプレイに表示されたソフトウェアキーなどからなる入力部とを含んでいる。操作パネル１０７は、ＭＦＰ１００が実行するジョブに関する設定をユーザーから受け付ける。操作パネル１０７は、ＭＦＰ１００に関する各種設定項目やメッセージなどをユーザーに対して表示する。
【００５１】
スキャナー部１０８は、原稿画像の読み取りを行う。
【００５２】
ネットワーク接続部１０９は、ＣＰＵ１０１からの指示に従って、ＴＣＰ／ＩＰなどの通信プロトコルによって、ネットワーク２５０を介して携帯端末３００との通信を行う。
【００５３】
接近検知部１１０は、ＭＦＰ１００から一定距離の範囲内に携帯端末３００が存在するか否かを検知する。接近検知部１１０は、携帯端末３００の存在を検知した場合に、その携帯端末３００から識別情報（識別子、たとえば携帯端末３００のＩＰアドレスなど）を取得する。
【００５４】
ユーザー認証部１１１は、各ユーザーが所持するＩＤカードに記憶されているユーザーＩＤ、操作パネル１０７または携帯端末３００を通じて入力されたユーザーＩＤおよびパスワード、または携帯端末３００のＩＰアドレスなどに基づいて、ユーザーを認証し、認証したユーザーにＭＦＰ１００の使用を許可する。
【００５５】
図３は、携帯端末３００の内部構成を示すブロック図である。
【００５６】
図３を参照して、携帯端末３００は、ＣＰＵ３０１と、ＲＯＭ３０２と、ＲＡＭ３０３と、記憶部３０４と、タッチパネル３０５と、ネットワーク接続部３０６などを含んでいる。ＣＰＵ３０１には、ＲＯＭ３０２、ＲＡＭ３０３、記憶部３０４、タッチパネル３０５、およびネットワーク接続部３０６の各々がバスを介して接続されている。
【００５７】
ＣＰＵ３０１は、携帯端末３００全体の制御を行う。またＣＰＵ３０１は、ＲＯＭ３０２に記憶された制御プログラムを実行する。ＣＰＵ３０１は、所定の処理を行うことにより、ＲＯＭ３０２、ＲＡＭ３０３からのデータの読み込みや、ＲＯＭ３０２、ＲＡＭ３０３へのデータの書き込みを行う。
【００５８】
ＲＯＭ３０２は、たとえばフラッシュＲＯＭである。ＲＯＭ３０２には、携帯端末３００の動作を行うための各種プログラムと、各種固定データとが格納されている。ＲＯＭ３０２は、書換え不可能なものであってもよい。
【００５９】
ＲＡＭ３０３は、ＣＰＵ３０１のメインメモリである。ＲＡＭ３０３は、ＣＰＵ３０１が制御プログラムを実行するときに必要なデータや画像データを一時的に記憶するためなどに用いられる。ＲＡＭ３０３はＣＰＵ３０１のキャッシュメモリ領域を有していてもよい。
【００６０】
記憶部３０４は、たとえばＨＤＤよりなっており、携帯端末３００の動作に関わる各種データなどを記憶する。
【００６１】
タッチパネル３０５は、携帯端末３００に関する各種設定項目やメッセージなどを表示する。タッチパネル３０５は、ＭＦＰ１００から受信したデータに基づく画面を表示する。タッチパネル３０５は、ユーザーから携帯端末３００に関する各種指示を受け付ける。
【００６２】
ネットワーク接続部３０６は、ＣＰＵ３０１からの指示に従って、ＴＣＰ／ＩＰなどの通信プロトコルによって、ネットワーク２５０を介してＭＦＰ１００との通信を行う。
【００６３】
本実施の形態では、ＭＦＰ１００と携帯端末３００とが互いに連携して、ＭＦＰ１００が実行するジョブに関する設定（以下、ジョブ条件の設定と記すことがある）をユーザーから受け付ける。
【００６４】
［操作パネルで受け付けたジョブ条件の内容を携帯端末へ送信する場合の画像形成システムの動作］
次に、操作パネル１０７で受け付けたジョブ条件の設定の内容を携帯端末３００へ送信する場合の画像形成システムの動作について説明する。
【００６５】
図４は、操作パネル１０７で受け付けたジョブ条件の設定の内容を携帯端末３００へ送信する場合のＭＦＰ１００と携帯端末３００との連携動作の流れを模式的に示す図である。
【００６６】
図４を参照して、たとえば、ユーザーＡが長い時間をかけて、ジョブ条件の設定を操作パネル１０７で行っている間に、ユーザーＢが、短時間で終わるジョブを、ユーザーＡのジョブよりも先に（割り込んで）ＭＦＰ１００で実行することを望んでいる場合を想定する。操作パネル１０７は、ソフトウェアキー１０７ａまたはハードウェアキー１０７ｂを通じて、ジョブ条件の設定を受け付け可能である。たとえば操作パネル１０７が印刷ジョブに関する設定を受け付ける場合、操作パネル１０７は、ソフトウェアキー１０７ａを通じて、原稿画質、カラー、印刷濃度、用紙サイズ、拡大印刷または縮小印刷の際の倍率、両面印刷またはページ集約、またはステープルなどの仕上りなどの設定を受け付ける。また操作パネル１０７は、ハードウェアキー１０７ｂを通じて印刷する用紙の枚数などの設定を受け付ける。
【００６７】
ユーザーＡは、携帯端末３００を操作パネル１０７へ接近させた状態で、操作パネル１０７において特定の操作（第１の操作）を行う。この操作を受け付けた場合、ＭＦＰ１００は、それまでにユーザーＡから受け付けたジョブ条件の設定の内容を携帯端末３００へ移動する。具体的には、携帯端末３００が操作パネル１０７へ接近すると、接近検知部１１０は携帯端末３００が接近したことを検知する。操作パネル１０７が第１の操作を受け付けると、ＭＦＰ１００は、携帯端末３００のタッチパネル３０５で表示する画面のデータと、操作パネル１０７がその時点までに受け付けた設定の内容とを携帯端末３００へ送信する。携帯端末３００は、ＭＦＰ１００から受信したデータに基づく画面をタッチパネル３０５に表示し、ＭＦＰ１００から受信した設定の内容をＲＡＭ３０３などに記憶する。
【００６８】
ユーザーＡが行ったジョブ条件の設定の内容が操作パネル１０７から携帯端末３００へ移動された結果、ユーザーＡは携帯端末３００で引き続きジョブ条件の設定を行うことができる。一方、ＭＦＰ１００は割り込み使用が可能な状態となるので、ユーザーＢは、ユーザーＡのジョブが終わるのを待つこと無く、自らのジョブをＭＦＰ１００で実行することができる。
【００６９】
画像形成システムの上述の動作において、接近検知部１１０は、携帯端末３００が接近したことを検知した場合に、その携帯端末３００から識別情報を取得することが好ましい。
【００７０】
操作パネル１０７の表示画面において、フリック操作が操作パネル１０７の表示画面を移動する操作に該当する場合には、ＭＦＰ１００は第１の操作が行われたと判断せず、携帯端末３００への送信を行わないことが好ましい。これにより、ＭＦＰ１００の誤動作を防止することができる。
【００７１】
第１の操作は、たとえば、操作パネル１０７の初期画面において、キーＫ１が表示されている位置を起点として、図４中矢印ＡＲ１で示す携帯端末３００が存在する方向へフリックする操作である。このフリック操作を受け付けた場合、キーＫ１を押下したときに操作パネル１０７に表示される画面と同一の画面を、携帯端末３００はタッチパネル３０５に表示する。図４ではキーＫ１は印刷ジョブの応用設定キーであるので、タッチパネル３０５には、印刷ジョブの応用設定を受け付ける画面が表示される。第１の操作がフリック操作であることにより、ユーザーはより直感的かつ簡単な動作で、それまでに行った設定の内容を携帯端末３００へ移行することができる。
【００７２】
ＭＦＰ１００は、画面のデータとして、たとえば、キーＫ１に付随する下位の画面の全てのデータ（キーＫ１を押下した場合に表示される新たな設定画面およびその新たな設定画面から移行可能な設定画面の全てのデータ）を送信する。
【００７３】
携帯端末３００は、ＭＦＰ１００から受信したデータに基づく画面であればどのような画面を表示してもよく、フリック操作の起点の位置に存在するキーを押下した場合に操作パネル１０７に表示される画面と同一の画面の他、たとえば操作パネル１０７の初期画面などを表示してもよい。
【００７４】
ＭＦＰ１００は、第１の操作を受け付けた場合に、操作パネル１０７に初期画面を表示し、それまでに設定された内容を破棄することにより、割り込み状態（他のユーザーの割り込み操作を受け付け可能な状態）へ移行することが好ましい。これにより、ユーザーＢによるＭＦＰ１００の割り込み使用が容易になり、ユーザーＢによる誤設定および誤操作を防止することができる。
【００７５】
ＭＦＰ１００は、ユーザー認証部１１１で認証したユーザーのログイン処理を行い、ログイン処理が完了したユーザーに対してのみ、ジョブ条件の設定を操作パネル１０７で行うことを許可してもよい。ＭＦＰ１００は、第１の操作を受け付けた場合に、第１の操作を行ったユーザーのログアウト処理を行い、ログアウト処理が完了した後は、ログアウト処理が完了したユーザーに対しては、ジョブ条件の設定を操作パネル１０７で行うことを不許可にしてもよい。これにより、ユーザーＡは第１の操作によってジョブ条件の設定の内容の移行とログアウトとの両方を行うことができ、ＭＦＰ１００の割り込み使用をするユーザーＢは直ちにＭＦＰ１００を操作することができる。
【００７６】
さらにＭＦＰ１００は、ログアウト処理を行ったユーザーをユーザー認証部１１１で再度認証した場合には、そのユーザーのログイン処理を再度行い、そのユーザーに対してジョブ条件の設定をＭＦＰ１００で行うことを許可し、携帯端末３００から受信した変更後の設定の内容を反映させてもよい。これにより、設定の内容の移行先である携帯端末３００で行われた変更後の設定のみを反映させることができる。
【００７７】
図５は、操作パネル１０７で受け付けたジョブ条件の設定の内容を携帯端末３００へ送信する場合に、ＭＦＰ１００が実行する処理のフローチャートである。
【００７８】
図５を参照して、ＭＦＰ１００のＣＰＵ１０１は、ジョブ条件の設定を操作パネル１０７で受け付け（Ｓ１）、操作パネル１０７がフリック操作を検出したか否かを判別する（Ｓ２）。
【００７９】
ステップＳ２において、フリック操作を検出したと判別した場合（Ｓ２でＹＥＳ）、ＣＰＵ１０１は、接近検知部１１０が携帯端末３００の存在を検知したか否か（携帯端末３００がＭＦＰ１００から所定の範囲内にあることを検知したか否か）を判別する（Ｓ３）。
【００８０】
ステップＳ３において、携帯端末３００の存在を検知したと判別した場合（Ｓ３でＹＥＳ）、ＣＰＵ１０１は、接近検知部１１０で携帯端末３００から識別情報を取得する（Ｓ４）。続いてＣＰＵ１０１は、操作パネル１０７の表示画面において、フリック操作が操作パネル１０７の表示画面を移動する操作に該当するか否かを判別する（Ｓ５）。
【００８１】
ステップＳ５において、操作パネル１０７の表示画面を移動する操作に該当しないと判別した場合（Ｓ５でＮＯ）、ＣＰＵ１０１は、フリック操作の起点となる位置のキーに付随する下位の画面の全データと、操作パネル１０７がその時点までに受け付けたジョブ条件の設定の内容とを携帯端末３００へ送信する（Ｓ７）。次にＣＰＵ１０１は、送信先の携帯端末３００の識別情報をＲＡＭ１０３などに記憶する（Ｓ９）。その後ＣＰＵ１０１は、操作パネル１０７に初期画面を表示し、それまでに設定されたジョブ条件の内容を破棄することにより、割り込み状態へ移行し（Ｓ１１）、ステップＳ１の処理へ進む。
【００８２】
ステップＳ２において、フリック操作を検出しないと判別した場合（Ｓ２でＮＯ）、ステップＳ３において、携帯端末３００の存在を検知しないと判別した場合（Ｓ３でＮＯ）、またはステップＳ５において、操作パネル１０７の表示画面を移動する操作に該当すると判別した場合（Ｓ５でＹＥＳ）、ＣＰＵ１０１は画面のデータなどを送信せずに、ステップＳ１の処理へ進む。
［変更後のジョブ条件の設定の内容を携帯端末からＭＦＰへ送信する場合の画像形成システムの動作］
次に、ジョブ条件の設定の変更を携帯端末３００で受け付け、変更後のジョブ条件の設定の内容を携帯端末３００からＭＦＰ１００へ送信する場合の画像形成システムの動作について説明する。
【００８３】
図６は、変更後のジョブ条件の設定の内容を携帯端末３００からＭＦＰ１００へ送信する場合のＭＦＰ１００と携帯端末３００との連携動作の流れを模式的に示す図である。
【００８４】
図６を参照して、たとえば、ユーザーＡが携帯端末３００において、操作パネル１０７で行ったジョブ条件の設定に原稿のセット方向に関する設定を追加し、追加後のジョブ条件の設定の内容を携帯端末３００からＭＦＰ１００へ送信する場合を想定する。携帯端末３００は、画面のデータとジョブ条件の設定の内容とをＭＦＰ１００から受信すると、（ａ）に示すように、ＭＦＰ１００から受信したデータに基づいて、印刷ジョブの応用設定を受け付ける画面をタッチパネル３０５に表示し、ＭＦＰ１００から受信した設定の内容をＲＡＭ３０３などに記憶する。ユーザーＡは、以下の方法を用いて、携帯端末３００でジョブ条件の設定を追加する操作を行う。
【００８５】
ユーザーＡは、携帯端末３００の印刷ジョブの応用設定を受け付ける画面において、読み込む原稿を設定するキーであるキーＫ２を押下する。携帯端末３００は、キーＫ２の押下を受け付けると、（ｂ）に示すように、読み込む原稿の設定を受け付ける画面をタッチパネル３０５に表示する。ユーザーＡは、読み込む原稿の設定を受け付ける画面において、原稿のセット方向を設定するキーであるキーＫ３を押下する。携帯端末３００は、キーＫ３の押下を受け付けると、（ｃ）に示すように、原稿のセット方向の選択を受け付ける画面をタッチパネル３０５に表示する。ユーザーＡは、原稿のセット方向の選択を受け付ける画面において、左端に表示されたセット方向であるキーＫ４を選択する。携帯端末３００は、キーＫ４の押下を受け付けると、画面の左端に表示されたセット方向の設定を追加するように、操作パネル１０７で行ったジョブ条件の設定の内容を変更する。
【００８６】
その後ユーザーＡは、ＭＦＰ１００でのユーザーＢのジョブが終わるのを待って、携帯端末３００を操作パネル１０７へ再び接近させた状態で、操作パネル１０７において特定の操作（第２の操作）を行う。この操作を受け付けた場合、ＭＦＰ１００は、変更後のジョブ条件の設定の内容をＭＦＰ１００へ送信する。具体的には、携帯端末３００が操作パネル１０７へ接近すると、接近検知部１１０は携帯端末３００が接近したことを検知する。携帯端末３００が第２の操作を受け付けると、携帯端末３００は、変更後のジョブ条件の設定の内容をＭＦＰ１００へ送信する。ＭＦＰ１００は、携帯端末３００から受信した設定の内容を、ＭＦＰ１００側のジョブ条件の設定の内容に反映させ、ＲＡＭ１０３などに記憶する。そしてＭＦＰ１００は、（ｄ）に示すように、変更後のジョブ条件の設定の内容を反映した画面を操作パネル１０７に表示する。
【００８７】
第２の操作は、たとえばタッチパネル３０５上の任意の位置を起点として、図６（ｃ）中矢印ＡＲ２で示すＭＦＰ１００が存在する方向へフリックする操作である。このフリック操作は、たとえばジョブ条件の設定を行うキーであるキーＫ４を起点とするものであってもよい。また、携帯端末３００は、第２の操作を受け付けたか否かに関わらず、ジョブ条件の設定の変更を受け付ける度に、変更後のジョブ条件の設定の内容をＭＦＰ１００に送信してもよい。
【００８８】
ＭＦＰ１００は、変更後のジョブ条件の設定の内容を携帯端末３００から受信した場合に、その送信元である携帯端末３００が、画面のデータおよびジョブ条件の設定の内容の送信先である携帯端末３００と同一であるか否かを判別（照合）し、同一である場合に、携帯端末３００から受信した設定の内容を、ＭＦＰ１００側のジョブ条件の設定の内容に反映させてもよい。これにより、ジョブ条件の設定の内容の移行先である携帯端末３００で行われた変更のみを、ＭＦＰ１００側のジョブ条件の設定の内容に反映させることができる。
【００８９】
携帯端末３００は、第２の操作を受け付けた場合に、たとえばそのユーザーのＩＤおよびパスワードや携帯端末３００のＩＰアドレスなどをＭＦＰ１００へ送信することにより、ＭＦＰ１００に対してそのユーザーの認証を要求してもよい。
【００９０】
図７は、携帯端末３００で受け付けたジョブ条件の設定の内容をＭＦＰ１００へ送信する場合に、携帯端末３００が実行する処理のフローチャートである。
【００９１】
図７を参照して、携帯端末３００のＣＰＵ３０１は、画面のデータとジョブ条件の設定の内容とを受信したか否かを判別する（Ｓ１０１）。ＣＰＵ３０１は、受信したと判別するまで、ステップＳ１０１の処理を繰り返す。
【００９２】
ステップＳ１０１において、受信したと判別した場合（Ｓ１０１でＹＥＳ）、ＣＰＵ３０１は、受信したジョブ条件の設定の内容をＲＡＭ３０３などに保存し（Ｓ１０３）、受信したデータに基づきタッチパネル３０５に画面を表示する（Ｓ１０５）。次にＣＰＵ３０１は、タッチパネル３０５の操作を検出したか否かを判別する（Ｓ１０７）。ＣＰＵ３０１は、操作を検出したと判別するまで、ステップＳ１０７の処理を繰り返す。
【００９３】
ステップＳ１０７において、操作を検出したと判別した場合（Ｓ１０７でＹＥＳ）、ＣＰＵ３０１は、検出した操作の種類が何であるかを判別する（Ｓ１０９）。
【００９４】
ステップＳ１０９において、検出した操作がフリック操作であると判別した場合（Ｓ１０９で「フリック操作」）、ＣＰＵ３０１は、変更後のジョブ条件の設定の内容をＭＦＰ１００へ送信し（Ｓ１１１）、ステップＳ１０１の処理へ進む。一方、ステップＳ１０９において、検出した操作がジョブ条件の設定を行う操作であると判別した場合（Ｓ１０９で「設定操作」）、ＣＰＵ３０１は、操作に応じてジョブ条件の設定の内容を変更し、設定の内容の変更に応じてタッチパネル３０５の表示画面を変更し（Ｓ１１３）、ステップＳ１０７の処理へ進む。
【００９５】
図８は、ジョブ条件の設定の内容を携帯端末３００から受信した場合に、ＭＦＰ１００が実行する処理のフローチャートである。
【００９６】
図８を参照して、ＭＦＰ１００のＣＰＵ１０１は、ジョブ条件の設定の内容を携帯端末３００から受信したか否かを判別する（Ｓ２０１）。ＣＰＵ１０１は、受信したと判別するまで、ステップＳ２０１の処理を繰り返す。
【００９７】
ステップＳ２０１において、受信したと判別した場合（Ｓ２０１でＹＥＳ）、ＣＰＵ１０１は、接近検知部１１０が携帯端末３００の存在を検知したか否かを判別する（Ｓ２０３）。
【００９８】
ステップＳ２０３において、携帯端末３００の存在を検知したと判別した場合（Ｓ２０３でＹＥＳ）、ＣＰＵ１０１は、接近検知部１１０で携帯端末３００から識別情報を取得する（Ｓ２０４）。続いてＣＰＵ１０１は、取得した識別情報が、画面のデータおよびジョブ条件の設定の内容の送信先である携帯端末３００の識別情報（ステップＳ４で取得した識別情報）と同一であるか否かを判別する（Ｓ２０５）。
【００９９】
ステップＳ２０５において、同一であると判別した場合（Ｓ２０５でＹＥＳ）、ＣＰＵ１０１は、受信したジョブ条件の設定の内容を、ＭＦＰ１００側のジョブ条件の設定の内容に反映させ（Ｓ２０７）、ステップＳ２０１の処理へ進む。
【０１００】
ステップＳ２０３において、携帯端末３００の存在を検知しないと判別した場合（Ｓ２０３でＮＯ）、またはステップＳ２０５において、同一でないと判別した場合（Ｓ２０５でＮＯ）、ＣＰＵ１０１はステップＳ２０１の処理へ進む。
【０１０１】
［変形例］
続いて、上述の実施の形態の一の変形例について説明する。本変形例では、ＭＦＰ１００がフリック操作を受け付けた位置と、フリック操作を受け付けた時の操作パネル１０７の表示画面の情報とに基づいて、ＭＦＰ１００が携帯端末３００のタッチパネル３０５で表示する画面を決定し、決定した画面の情報を一画面分ずつ携帯端末３００へ送信する実施の形態について説明する。なお、画像形成システムの構成などの以下の説明以外の部分については、上述の実施の形態の場合と同様であるので、その説明は繰り返さない。
【０１０２】
図９は、本発明の一の変形例における操作パネル１０７の表示画面の変化を模式的に示す図である。
【０１０３】
図９（ａ）を参照して、ユーザーＡは、携帯端末３００を操作パネル１０７へ接近させた状態で、操作パネル１０７のキーＫ１が表示されている位置を起点として、図９（ａ）中矢印ＡＲ３で示す携帯端末３００が存在する方向へフリックする操作を行う。ＭＦＰ１００は、フリック操作を受け付けた位置と、フリック操作を受け付けた時の操作パネル１０７の画面の情報とに基づいて、携帯端末３００のタッチパネル３０５で表示する画面を決定する。ここでは、ＭＦＰ１００は、キーＫ１を押下した場合に操作パネル１０７に表示される画面（印刷ジョブの応用設定を受け付ける画面）を、携帯端末３００のタッチパネル３０５で表示する画面として決定し、この画面と同一の画面のデータを携帯端末３００へ送信する。このときＭＦＰ１００が送信するデータは、一画面分のみのデータである。ＭＦＰ１００は、画面のデータとともに、操作パネル１０７がその時点までに受け付けたジョブ条件の設定の内容も携帯端末３００へ送信する。携帯端末３００は、上述の実施の形態と同様に、ＭＦＰ１００から受信したデータに基づいて、印刷ジョブの応用設定を受け付ける画面をタッチパネル３０５に表示し、ＭＦＰ１００から受信したジョブ条件の設定の内容をＲＡＭ３０３などに記憶する。
【０１０４】
またＭＦＰ１００は、このフリック操作を受け付けた場合に、図９（ｂ）に示すように、携帯端末３００へ送信したデータの画面と、ＭＦＰ１００の初期画面とを互いに重ねた状態で操作パネル１０７に表示する。ここでは、印刷ジョブの応用設定を受け付ける画面である画面（ウインドウ）ＷＤ１と、初期画面（ウインドウ）である画面ＷＤ２とが操作パネル１０７に重ねて表示される。この場合、画面ＷＤ１が背面に表示され、画面ＷＤ２が前面に表示されることが好ましい。これらの画面を重ねて表示することにより、操作パネル１０７の背面の画面ＷＤ１を携帯端末３００のタッチパネル３０５の表示画面と同期させることができ、かつユーザーＢは、操作パネル１０７の前面の画面ＷＤ２を用いてＭＦＰ１００の割り込み使用を容易に行うことができる。
【０１０５】
ユーザーＡは、携帯端末３００の印刷ジョブの応用設定を受け付ける画面において、読み込む原稿を設定するキーであるキーＫ２（図６（ａ））を押下する。携帯端末３００は、キーＫ２の押下を受け付けると、キーＫ２に関する情報をＭＦＰ１００へ送信する。ＭＦＰ１００は、図９（ｃ）に示すように、受信した情報に基づいて、操作パネル１０７の背面の画面ＷＤ１を、読み込む原稿の設定を受け付ける画面ＷＤ３に変更する。このようにＭＦＰ１００は、携帯端末３００で行われた操作に応じてバックグラウンドで画面のデータを送信し、携帯端末３００の表示画面を更新させる。またＭＦＰ１００は、受信した情報に基づいて、読み込む原稿の設定を受け付ける画面（更新後の画面）のデータを携帯端末３００へ送信する。携帯端末３００は、上述の実施の形態と同様に、ＭＦＰ１００から受信したデータに基づいて、読み込む原稿の設定を受け付ける画面をタッチパネル３０５に表示する。
【０１０６】
その後、ユーザーＢによるＭＦＰ１００の割り込み使用が終了した場合、または変更後の設定の内容を携帯端末３００から受信した場合、ＭＦＰ１００は、図９（ｄ）に示すように、ユーザーＢが操作していた画面ＷＤ２を閉じ、携帯端末３００のタッチパネル３０５と同期している画面ＷＤ３を操作パネル１０７の前面に表示する。
【０１０７】
図１０は、本発明の一の変形例において、操作パネル１０７で受け付けたジョブ条件の設定の内容を携帯端末３００へ送信する場合に、ＭＦＰ１００が実行する処理のフローチャートである。なお図１０〜図１３では、ＭＦＰ１００が、ログイン処理が完了したユーザーに対してのみ、ジョブ条件の設定を操作パネル１０７で行うことを許可し、ログアウト処理が完了したユーザーに対しては、ジョブ条件の設定を操作パネル１０７で行うことを不許可にする場合のフローチャートを示している。
【０１０８】
図１０を参照して、ＭＦＰ１００のＣＰＵ１０１は、ログイン処理を行ったか否かを判別する（Ｓ３０１）。ＣＰＵ１０１は、ログイン処理を行ったと判別するまで、ステップＳ３０１の処理を繰り返す。
【０１０９】
ステップＳ３０１において、ログイン処理を行ったと判別した場合（Ｓ３０１でＹＥＳ）、ＣＰＵ１０１は、ジョブ条件の設定を操作パネル１０７で受け付け（Ｓ３０２）、操作パネル１０７がフリック操作を検出したか否かを判別する（Ｓ３０３）。
【０１１０】
ステップＳ３０３において、フリック操作を検出したと判別した場合（Ｓ３０３でＹＥＳ）、ＣＰＵ１０１は、接近検知部１１０が携帯端末３００の存在を検知したか否か（携帯端末３００がＭＦＰ１００から所定の範囲内にあることを検知したか否か）を判別する（Ｓ３０５）。
【０１１１】
ステップＳ３０５において、携帯端末３００の存在を検知したと判別した場合（Ｓ３０５でＹＥＳ）、ＣＰＵ１０１は、接近検知部１１０で携帯端末３００から識別情報を取得する（Ｓ３０６）。続いてＣＰＵ１０１は、操作パネル１０７の表示画面において、フリック操作が操作パネル１０７の表示画面を移動する操作に該当するか否かを判別する（Ｓ３０７）。
【０１１２】
ステップＳ３０７において、操作パネル１０７の表示画面を移動する操作に該当しないと判別した場合（Ｓ３０７でＮＯ）、ＣＰＵ１０１は、フリック操作を受け付けた位置と、フリック操作を受け付けた時の操作パネル１０７の画面の情報とに基づいて、送信する画面を決定する（Ｓ３０８）。次にＣＰＵ１０１は、決定した画面の一画面分のデータと、操作パネル１０７がその時点までに受け付けたジョブ条件の設定の内容とを携帯端末３００へ送信する（Ｓ３０９）。次にＣＰＵ１０１は、ログアウト処理を行い（Ｓ３１０）、送信先の携帯端末３００の識別情報をＲＡＭ１０３などに記憶する（Ｓ３１１）。続いてＣＰＵ１０１は、操作パネル１０７の前面に新規のユーザーから設定を受け付ける画面（初期画面）を表示し、背面に元のユーザー（携帯端末３００を操作しているユーザー）の設定画面（携帯端末３００に表示している画面と同一の画面）を表示する（Ｓ３１３）。その後ＣＰＵ１０１は、それまでに設定された内容を破棄することにより、割り込み状態へ移行し（Ｓ３１５）、ステップＳ３０１の処理へ進む。
【０１１３】
ステップＳ３０３において、フリック操作を検出しないと判別した場合（Ｓ３０３でＮＯ）、ステップＳ３０５において、携帯端末３００の存在を検知しないと判別した場合（Ｓ３０５でＮＯ）、またはステップＳ３０７において、操作パネル１０７の表示画面を移動する操作に該当すると判別した場合（Ｓ３０７でＹＥＳ）、ＣＰＵ１０１は画面のデータなどを送信せずに、ステップＳ３０１の処理へ進む。
【０１１４】
図１１は、本発明の一の変形例において、携帯端末３００で受け付けたジョブ条件の設定の内容をＭＦＰ１００へ送信する場合に、携帯端末３００が実行する処理のフローチャートである。
【０１１５】
図１１を参照して、携帯端末３００のＣＰＵ３０１は、一画面分のデータとジョブ条件の設定の内容とを受信したか否かを判別する（Ｓ４０１）。ＣＰＵ３０１は、受信したと判別するまで、ステップＳ４０１の処理を繰り返す。
【０１１６】
ステップＳ４０１において、受信したと判別した場合（Ｓ４０１でＹＥＳ）、ＣＰＵ３０１は、受信したジョブ条件の設定の内容をＲＡＭ３０３などに保存し（Ｓ４０３）、受信したデータに基づきタッチパネル３０５に画面を表示する（Ｓ４０５）。次にＣＰＵ３０１は、タッチパネル３０５の操作を検出したか否かを判別する（Ｓ４０７）。ＣＰＵ３０１は、操作を検出したと判別するまで、ステップＳ４０７の処理を繰り返す。
【０１１７】
ステップＳ４０７において、操作を検出したと判別した場合（Ｓ４０７でＹＥＳ）、ＣＰＵ３０１は、検出した操作の種類が何であるかを判別する（Ｓ４０９）。
【０１１８】
ステップＳ４０９において、検出した操作がフリック操作であると判別した場合（Ｓ４０９で「フリック操作」）、ＣＰＵ３０１は、変更後のジョブ条件の設定の内容をＭＦＰ１００へ送信し（Ｓ４１１）、ステップＳ４０１の処理へ進む。一方、ステップＳ４０９において、検出した操作がジョブ条件の設定を行う操作であると判別した場合（Ｓ４０９で「設定操作」）、ＣＰＵ３０１は、タッチパネル３０５で操作を受け付けた位置に関する情報をＭＦＰ１００へ送信し（Ｓ４１３）、ステップＳ４０７の処理へ進む。
【０１１９】
図１２は、本発明の一の変形例において、ジョブ条件の設定の内容を携帯端末３００から受信した場合に、ＭＦＰ１００が実行する処理のフローチャートである。
【０１２０】
図１２を参照して、ＭＦＰ１００のＣＰＵ１０１は、ジョブ条件の設定の内容を携帯端末３００から受信したか否かを判別する（Ｓ５０１）。ＣＰＵ１０１は、受信したと判別するまで、ステップＳ５０１の処理を繰り返す。
【０１２１】
ステップＳ５０１において、受信したと判別した場合（Ｓ５０１でＹＥＳ）、ＣＰＵ１０１は、接近検知部１１０が携帯端末３００の存在を検知したか否かを判別する（Ｓ５０３）。
【０１２２】
ステップＳ５０３において、携帯端末３００の存在を検知したと判別した場合（Ｓ５０３でＹＥＳ）、ＣＰＵ１０１は、接近検知部１１０で携帯端末３００から識別情報を取得する（Ｓ５０４）。続いてＣＰＵ１０１は、取得した識別情報が、画面のデータおよびジョブ条件の設定の内容の送信先である携帯端末３００の識別情報（ステップＳ３０４で取得した識別情報）と同一であるか否かを判別する（Ｓ５０５）。
【０１２３】
ステップＳ５０５において、同一であると判別した場合（Ｓ５０５でＹＥＳ）、ＣＰＵ１０１は、ログイン処理を行い（Ｓ５０７）、前面の設定画面を閉じて、背面の設定画面を前面に表示する（Ｓ５０９）、その後ＣＰＵ１０１は、受信したジョブ条件の設定の内容を、ＭＦＰ１００側のジョブ条件の設定の内容に反映させ（Ｓ５１１）、ステップＳ５０１の処理へ進む。
【０１２４】
ステップＳ５０３において、携帯端末３００の存在を検知しないと判別した場合（Ｓ５０３でＮＯ）、またはステップＳ５０５において、同一でないと判別した場合（Ｓ５０５でＮＯ）、ＣＰＵ１０１はステップＳ５０１の処理へ進む。
【０１２５】
図１３は、本発明の一の変形例において、タッチパネル３０５で操作を受け付けた位置に関する情報を携帯端末３００から受信した場合に、ＭＦＰ１００が実行する処理のフローチャートである。
【０１２６】
図１３を参照して、ＭＦＰ１００のＣＰＵ１０１は、タッチパネル３０５で操作を受け付けた位置に関する情報を携帯端末３００から受信したか否かを判別する（Ｓ６０１）。ＣＰＵ１０１は、受信したと判別するまで、ステップＳ６０１の処理を繰り返す。
【０１２７】
ステップＳ６０１において、受信したと判別した場合（Ｓ６０１でＹＥＳ）、ＣＰＵ１０１は、操作パネル１０７の背面に表示している設定画面において、動作を受け付けた位置に表示されているキー（ボタン）を特定し（Ｓ６０３）、そのキーを押下した場合に設定される内容を特定する（Ｓ６０５）。次にＣＰＵ１０１は、設定される内容に応じて、操作パネル１０７の背面に表示されている設定画面の表示状態を更新し（Ｓ６０７）。更新した設定画面と同一の画面の一画面分のデータと、変更後の設定の内容とを携帯端末３００へ送信し（Ｓ６０９）、ステップＳ６０１の処理へ進む。
【０１２８】
［実施の形態の効果］
上述の実施の形態では、ユーザーＡがジョブ条件の設定を操作パネル１０７で行っている間に、別のユーザーＢが割り込んでＭＦＰ１００を使用することを望んでいる場合に、それまでにユーザーＡが行ったジョブ条件の設定の内容をＭＦＰ１００から携帯端末３００に移行することで、操作パネル１０７でユーザーＢが操作を行うことを可能とする。また、ユーザーＢがＭＦＰ１００を使用している間に、ユーザーＡは携帯端末３００でジョブ条件の設定操作を継続し、ユーザーＢによるＭＦＰ１００の割込み使用が終了した後で、携帯端末３００で行った設定の内容を、ＭＦＰ１００側のジョブ条件の設定の内容に反映することができる。これにより、ユーザーＡはジョブ条件の設定を携帯端末３００で継続して行うことができ、利便性の良い画像形成システムおよび画像形成装置を提供することができる。
【０１２９】
［その他］
操作パネル１０７または携帯端末３００においてユーザーＡが行う特定の操作（第１の操作または第２の操作）は、どのようなものであってもよく、フリック操作の他、たとえばソフトウェアキーまたはハードウェアキーの押下、ダブルタップ、あるいはドラッグなどの操作であってもよい。
【０１３０】
上述の実施の形態では、ＭＦＰ１００が画面のデータを携帯端末３００に送信し、携帯端末３００がＭＦＰ１００から受信したデータに基づく画面をタッチパネル３０５に表示する場合について説明した。本発明ではこのような場合の他、携帯端末３００が記憶部３０４などに予め画面のデータを記憶しておき、ＭＦＰ１００から受信した画面に関する情報（画面のＩＤなど）に基づいて、携帯端末３００がそれらのデータの中から特定の画面のデータを選択し、選択したデータに基づく画面をタッチパネル３０５に表示してもよい。
【０１３１】
ＭＦＰ１００が送信する画面のデータは、押下したキーに付随する下位の画面の全てのデータ（キーを押下した場合に表示される新たな設定画面およびその新たな設定画面から移行可能な設定画面の全てのデータ）であってもよいし、押下したキーに付随する下位の画面のうち一部の画面のデータであってもよい。
【０１３２】
上述の実施の形態は適宜組み合わせることができる。たとえば、操作パネル１０７で第１の操作を受け付けた場合に、ジョブ条件の設定を操作パネル１０７で行うことを不許可にするログアウト処理をＭＦＰ１００が行い、ログアウト処理を行った後で、そのユーザーの再ログイン処理を行った場合に、変更後のジョブ条件の設定の内容をＭＦＰ１００側のジョブ条件の設定の内容に反映させる変形例の処理を、図５、図７、および図８のフローチャートの実施例に適用してもよい。
【０１３３】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１３４】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１０１，３０１  ＣＰＵ
１０２，３０２  ＲＯＭ
１０３，３０３  ＲＡＭ
１０４，３０４  記憶部
１０５  プリント処理部
１０６  画像処理部
１０７  操作パネル
１０７ａ  ソフトウェアキー
１０７ｂ  ハードウェアキー
１０８  スキャナー部
１０９，３０６  ネットワーク接続部
１１０  接近検知部
１１１  ユーザー認証部
２００  アクセスポイント
２５０  ネットワーク
２５１  有線ＬＡＮ
２５２  無線ＬＡＮ
３００  携帯端末
３０５  タッチパネル
ＡＲ１，ＡＲ２，ＡＲ３  矢印
Ｋ１，Ｋ２，Ｋ３，Ｋ４  キー
ＷＤ１，ＷＤ２，ＷＤ３  画面
【図１】
2013157848.tif 000003
【図２】
2013157848.tif 000004
【図３】
2013157848.tif 000005
【図４】
2013157848.tif 000006
【図５】
2013157848.tif 000007
【図６】
2013157848.tif 000008
【図７】
2013157848.tif 000009
【図８】
2013157848.tif 000010
【図９】
2013157848.tif 000011
【図１０】
2013157848.tif 000012
【図１１】
2013157848.tif 000013
【図１２】
2013157848.tif 000014
【図１３】
2013157848.tif 000015